(57)【要約】【課題】スプライン軸及びスプライン穴の各スプラインの歯面間に介在された緩衝材の破損を抑制することができる歯車構造を提供する。【解決手段】本開示に係る歯車構造は、中心にスプライン穴１０を有する歯車１と、スプライン穴１０に挿入されたスプライン軸２０と、を備え、スプライン軸２０のスプライン２１，２２は、周方向の同じ向きで配置された第１及び第２の歯面２６，２７を有し、第１の歯面２６には、スプライン穴１０のスプライン１１の歯面１２に当接する緩衝材３０が固定され、第２の歯面２７とスプライン穴１０のスプライン１１の歯面１２との間には、緩衝材３０の厚さＤよりも小さい隙間Ｓが形成される。【選択図】図４
2020020354.tif 000002
【特許請求の範囲】
【請求項１】
中心にスプライン穴を有する歯車と、
前記スプライン穴に挿入され前記歯車を支持するためのスプライン軸と、を備えた歯車構造であって、
前記スプライン軸のスプラインは、周方向の同じ向きで配置された第１及び第２の歯面を有し、
前記第１の歯面には、その第１の歯面に対向する前記スプライン穴のスプラインの歯面に当接する緩衝材が固定され、
前記第２の歯面とその第２の歯面に対向する前記スプライン穴のスプラインの歯面との間には、隙間が形成され、
前記隙間の大きさは、前記緩衝材の厚さよりも小さい
ことを特徴とする歯車構造。
【請求項２】
前記隙間の大きさは、前記緩衝材が前記第１の歯面と前記スプライン穴のスプラインの歯面との間で圧縮されたときに、前記緩衝材が限界歪みを超えないように設定される
請求項１に記載の歯車構造。
【請求項３】
前記第２の歯面を有するスプラインの歯先面は、その歯先面に対向する前記スプライン穴のスプラインの溝底面に当接される
請求項１または２に記載の歯車構造。
【請求項４】
前記スプライン軸は、軸方向に互いに並列して設けられた第１及び第２のスプラインを有し、
前記第１の歯面は、前記第１のスプラインに設けられ、
前記第２の歯面は、前記第２のスプラインに設けられる
請求項１〜３の何れか一項に記載の歯車構造。
【請求項５】
前記スプライン軸は、回転軸と、軸方向に互いに並列して前記回転軸に回転不能に嵌合された第１及び第２の環状部材と、を有し、
前記第１のスプラインは、前記第１の環状部材の外周部に形成され、
前記第２のスプラインは、前記第２の環状部材の外周部に形成される
請求項４に記載の歯車構造。
【請求項６】
前記第１及び第２の環状部材は、互いのスプライン位相を合わせるための位相合わせ機構を備える
請求項５に記載の歯車構造。
【請求項７】
中心にスプライン穴を有する歯車と、
前記スプライン穴に挿入され前記歯車を支持するためのスプライン軸と、を備えた歯車構造であって、
前記スプライン穴のスプラインは、周方向の同じ向きで配置された第１及び第２の歯面を有し、
前記第１の歯面には、その第１の歯面に対向する前記スプライン軸のスプラインの歯面に当接する緩衝材が固定され、
前記第２の歯面とその第２の歯面に対向する前記スプライン軸のスプラインの歯面との間には、隙間が形成され、
前記隙間の大きさは、前記緩衝材の厚さよりも小さい
ことを特徴とする歯車構造。
【発明の詳細な説明】
【技術分野】
【０００１】
本開示は、歯車構造に関する。
【背景技術】
【０００２】
歯車のかみ合い時に発生する打撃音やうねり音を抑える方法として、熱処理ひずみ制御や、対になる歯車の精度を測定し、歯車の組み合わせ選択を行う方法が知られている。
【０００３】
また、より効果的に前記打撃音やうねり音を抑える方法として、歯車に熱処理を施した後、歯車研削仕上げや、歯車ホーニング仕上げを行う方法がある。この方法によれば、騒音発生要因の１つであるギヤの累積ピッチ精度も向上する。
【先行技術文献】
【特許文献】
【０００４】
【特許文献１】特開平９−１４３９６号公報
【発明の概要】
【発明が解決しようとする課題】
【０００５】
しかしながら、歯車研削仕上げや、歯車ホーニング仕上げには、歯車研削盤やホーニング盤等の専用機が必要であるため製造コストが高くなるという課題がある。
【０００６】
この解決手法としては、スプライン穴及びスプライン軸の各スプラインの歯面間に、緩衝材を介在させる歯車構造が考えられる。しかし、この歯車構造では、スプライン同士の伝達トルクが大きい場合に、緩衝材が歯面間で過大に圧縮されて破損する虞がある。
【０００７】
そこで本開示は、かかる事情に鑑みて創案され、その目的は、スプライン軸及びスプライン穴の各スプラインの歯面間に介在された緩衝材の破損を抑制することができる歯車構造を提供することにある。
【課題を解決するための手段】
【０００８】
本開示の一の態様によれば、中心にスプライン穴を有する歯車と、前記スプライン穴に挿入され前記歯車を支持するためのスプライン軸と、を備えた歯車構造であって、前記スプライン軸のスプラインは、周方向の同じ向きで配置された第１及び第２の歯面を有し、前記第１の歯面には、その第１の歯面に対向する前記スプライン穴のスプラインの歯面に当接する緩衝材が固定され、前記第２の歯面とその第２の歯面に対向する前記スプライン穴のスプラインの歯面との間には、隙間が形成され、前記隙間の大きさは、前記緩衝材の厚さよりも小さいことを特徴とする歯車構造が提供される。
【０００９】
好ましくは、前記隙間の大きさは、前記緩衝材が前記第１の歯面と前記スプライン穴のスプラインの歯面との間で圧縮されたときに、前記緩衝材が限界歪みを超えないように設定されるとよい。
【００１０】
また、前記第２の歯面を有するスプラインの歯先面は、その歯先面に対向する前記スプライン穴のスプラインの溝底面に当接されてもよい。
【００１１】
また、前記スプライン軸は、軸方向に互いに並列して設けられた第１及び第２のスプラインを有し、前記第１の歯面は、前記第１のスプラインに設けられ、前記第２の歯面は、前記第２のスプラインに設けられてもよい。
【００１２】
また、前記スプライン軸は、回転軸と、軸方向に互いに並列して前記回転軸に回転不能に嵌合された第１及び第２の環状部材と、を有し、前記第１のスプラインは、前記第１の環状部材の外周部に形成され、前記第２のスプラインは、前記第２の環状部材の外周部に形成されてもよい。
【００１３】
また、前記第１及び第２の環状部材は、互いのスプライン位相を合わせるための位相合わせ機構を備えてもよい。
【００１４】
本開示の他の態様によれば、中心にスプライン穴を有する歯車と、前記スプライン穴に挿入され前記歯車を支持するためのスプライン軸と、を備えた歯車構造であって、前記スプライン穴のスプラインは、周方向の同じ向きで配置された第１及び第２の歯面を有し、前記第１の歯面には、その第１の歯面に対向する前記スプライン軸のスプラインの歯面に当接する緩衝材が固定され、前記第２の歯面とその第２の歯面に対向する前記スプライン軸のスプラインの歯面との間には、隙間が形成され、前記隙間の大きさは、前記緩衝材の厚さよりも小さいことを特徴とする歯車構造が提供される。
【発明の効果】
【００１５】
本開示によれば、スプライン軸及びスプライン穴の各スプラインの歯面間に介在された緩衝材の破損を抑制することができる。
【図面の簡単な説明】
【００１６】
【図１】本開示の一実施の形態に係る歯車構造の全体を示す概略断面図である。
【図２】図１のＩＩ−ＩＩ線断面図である。
【図３】図１の要部拡大図である。
【図４】図３のＩＶ−ＩＶ線断面図である。
【図５】図３のＶ−Ｖ線断面図である。
【図６】図４に示した緩衝材の作用を示す断面図である。
【図７】図５に示した隙間の作用を示す断面図である。
【図８】他の実施の形態に係る歯車構造の要部拡大図である。
【図９】図８のＩＸ−ＩＸ線断面図である。
【図１０】図８のＸ−Ｘ線断面図である。
【図１１】図１に示したベアリングについての変形例を示す断面図である。
【発明を実施するための形態】
【００１７】
以下、添付図面を参照して本開示の実施形態を説明する。なお、図中に示す各方向は、説明の便宜上定められたものに過ぎないものとする。
【００１８】
図１は、本実施形態に係る歯車構造の全体を示す概略断面図であり、図２は、図１のＩＩ−ＩＩ線断面図である。また、図３は、図１の要部拡大図であり、図４は、図３のＩＶ−ＩＶ線断面図であり、図５は、図３のＶ−Ｖ線断面図である。なお、図１中の一点鎖線Ｃは、歯車の回転中心を示す。
【００１９】
図１〜図３に示すように、本実施の形態に係る歯車構造は、中心にスプライン穴１０を有する第１の歯車１と、スプライン穴１０に挿入され第１の歯車１を支持するためのスプライン軸２０と、を備える。第１の歯車１は、特許請求の範囲にいう歯車に該当する。
【００２０】
第１の歯車１は、外歯歯車で構成される。また、第１の歯車１は、外周に形成されるリム部２と、内周に形成されるボス部３と、リム部２及びボス部３の間に形成されるウェブ部４と、を備える。
【００２１】
リム部２の外周には、図示しない他の歯車と噛み合わせるための歯５が形成される。歯５は、歯面の断面形状をインボリュート曲線にて形成される。すなわち、第１の歯車１は、インボリュート歯車で構成される。但し、第１の歯車１は、インボリュート歯車に限るものではない。また、第１の歯車１は、サイクロイド歯車等の他のタイプの歯車であってもよい。
【００２２】
ボス部３は、スプライン穴１０を有する。スプライン穴１０の内周部には、スプライン（以下、穴側スプライン１１）が形成される。
【００２３】
穴側スプライン１１は、ボス部３の内周面に軸方向に延びるスプライン溝（以下、穴側スプライン溝１１ａ）を周方向に複数等間隔に形成して構成される。
【００２４】
スプライン軸２０は、軸方向に互いに並列して設けられた第１のスプライン（以下、第１の軸側スプライン２１）及び第２のスプライン（以下、第２の軸側スプライン２２）を有する。
【００２５】
具体的には、スプライン軸２０は、回転軸２３と、軸方向に互いに並列して回転軸２３に回転不能に嵌合された第１の環状部材２４及び第２の環状部材２５と、を有する。
【００２６】
回転軸２３は、円管状に形成される。また、回転軸２３は、軸方向の両端部の位置で、ベアリング７によって回転可能に支持される。ベアリング７は、第１の歯車１及び第２の歯車６を収容するケーシング８に対して、回転軸２３を回転可能に支持する。本実施形態のベアリング７は、転がり軸受であり、ケーシング８に固定されるアウターレース７ａと、回転軸２３に固定されるインナーレース７ｂと、アウターレース７ａ及びインナーレース７ｂの間に回転可能に配置されたボール７ｃと、を備える。
【００２７】
また、本実施形態の回転軸２３には、軸方向の前側の位置に第１及び第２の環状部材２４，２５が嵌合され、後側の位置に第２の歯車６が設けられる。
【００２８】
第２の歯車６は、外歯歯車で構成され、回転軸２３に一体形成される。但し、回転軸２３と第２の歯車６は、別体として設けられてもよい。
【００２９】
第１及び第２の環状部材２４，２５は、回転軸２３に対して図示前側から圧入されることで嵌合される。なお、回転軸２３と第１及び第２の環状部材２４，２５との圧入面は、基本的に、スプライン等の凹凸が形成されないスムーズな円筒面とされる。
【００３０】
本実施形態では、第１の環状部材２４が２つ設けられる。２つの第１の環状部材２４は、１つの第２の環状部材２５を軸方向に挟んで配置される。なお、第１の環状部材２４の軸方向の長さは、第２の環状部材２５と同じ長さか、或いはそれより短い長さに設定される。また、第１及び第２の環状部材２４，２５は、鉄等の金属材料で形成される。但し、第１及び第２の環状部材２４，２５は、任意の長さ、数、配置、材質等であってよい。例えば、２つの第２の環状部材２５が、１つの第１の環状部材２４を軸方向に挟んで配置されてもよい。
【００３１】
第１の環状部材２４の外周部には、第１の軸側スプライン２１が形成され、第２の環状部材２５の外周部には、第２の軸側スプライン２２が形成される。
【００３２】
また、第１及び第２の環状部材２４，２５は、互いのスプライン位相を合わせるための位置合わせ機構Ｋを備える（図２を参照）。本実施形態の位置合わせ機構Ｋは、回転軸２３の外周面と第１及び第２の環状部材２４，２５の内周面とにそれぞれ形成されたキー溝ｋ1と、キー溝ｋ1に差し込まれるキーｋ2と、を備えたキー機構である。
【００３３】
第１及び第２の環状部材２４，２５は、回転軸２３に対してキー溝ｋ1の位置を合わせて圧入される。そして、キー溝ｋ1にキーｋ2を差し込むことで、第１及び第２の軸側スプライン２１，２２と回転軸２３との位相が合わせられる。但し、位置合わせ機構Ｋは、キー機構に限るものではなく、ピン留め等の任意の構造であってよい。
【００３４】
図４及び図５に示すように、穴側スプライン１１は、穴側スプライン溝１１ａ間に形成される歯先面１１ｂと、穴側スプライン溝１１ａの溝底で構成される溝底面１１ｃと、を備える。また、穴側スプライン１１は、歯先面１１ｂ及び溝底面１１ｃ間に径方向に延びて形成されトルク伝達をするための歯面１２を備える。
【００３５】
穴側スプライン１１の歯面１２は、溝底面１１ｃに対して、周方向の右回り側に位置する右側歯面１２Ｒと、左回り側に位置する左側歯面１２Ｌと、を有する。また、穴側スプライン１１の歯面１２Ｒ，１２Ｌは、それぞれ圧力角を有し、径方向内方に向くように傾斜される。
【００３６】
また、穴側スプライン１１の右側歯面１２Ｒは、後述する第１及び第２の軸側スプライン２１，２２の右側歯面２６Ｒ，２７Ｒに共通して対向する。また、穴側スプライン１１の左側歯面１２Ｌは、後述する第１及び第２の軸側スプライン２１，２２の左側歯面２６Ｌ，２７Ｌに共通して対向する。
【００３７】
図４に示すように、第１の軸側スプライン２１は、その外周面に軸方向に延びるスプライン歯（以下、第１の軸側スプライン歯２１ａ）を周方向に複数等間隔に形成して構成される。また、第１の軸側スプライン２１は、第１の軸側スプライン歯２１ａの先端面で構成される歯先面２１ｂと、第１の軸側スプライン歯２１ａの間に形成される歯底面２１ｃと、を備える。また、第１の軸側スプライン２１は、歯先面２１ｂ及び歯底面２１ｃ間に径方向に延びて形成されトルク伝達をするための歯面２６を備える。
【００３８】
第１の軸側スプライン２１の歯面２６は、歯先面２１ｂに対して、周方向の右回り側に位置する右側歯面２６Ｒと、左回り側に位置する左側歯面２６Ｌと、を有する。第１の軸側スプライン２１の歯面２６Ｒ，２６Ｌは、特許請求の範囲にいう第１の歯面に該当する。また、第１の軸側スプライン２１の歯面２６Ｒ，２６Ｌは、それぞれ圧力角を有し、径方向内方に向くように傾斜される。
【００３９】
図５に示すように、第２の軸側スプライン２２は、その外周面に軸方向に延びるスプライン歯（以下、第２の軸側スプライン歯２２ａ）を周方向に複数等間隔に形成して構成される。また、第２の軸側スプライン２２は、第２の軸側スプライン歯２２ａの先端面で構成される歯先面２２ｂと、第２の軸側スプライン歯２２ａの間に形成される歯底面２２ｃと、を備える。また、第２の軸側スプライン２２は、歯先面２２ｂ及び歯底面２２ｃ間に径方向に延びて形成されトルク伝達をするための歯面２７を備える。
【００４０】
第２の軸側スプライン２２の歯面２７は、歯先面２２ｂに対して、周方向の右回り側を向いた右側歯面２７Ｒと、左回り側を向いた左側歯面２７Ｌと、を有する。第２の軸側スプライン２２の歯面２７Ｒ，２７Ｌは、特許請求の範囲にいう第２の歯面に該当する。また、第２の軸側スプライン２２の歯面２７Ｒ，２７Ｌは、それぞれ圧力角を有し、径方向内方に向くように傾斜される。
【００４１】
上述した通り、スプライン軸２０のスプライン、すなわち第１及び第２の軸側スプライン２１，２２は、周方向の同じ向きで配置された右側歯面２６Ｒ，２７Ｒ及び左側歯面２６Ｌ，２７Ｌを有する。
【００４２】
第１の軸側スプライン２１の歯面２６Ｒ，２６Ｌには、図４に示すように、緩衝材３０が固定される。緩衝材３０は、その第１の軸側スプライン２１の歯面２６Ｒ，２６Ｌに対向する穴側スプライン１１の歯面１２Ｒ，１２Ｌに当接する。すなわち、緩衝材３０の厚さＤは、対向して配置された第１の軸側スプライン２１の歯面２６Ｒ，２６Ｌと穴側スプライン１１の歯面１２Ｒ，１２Ｌとの隙間と等しい大きさで形成される。
【００４３】
また、本実施形態の緩衝材３０は、第１の軸側スプライン２１の全周に亘って、全ての歯面２６Ｒ，２６Ｌと歯先面２１ｂと歯底面２１ｃとに設けられる。また、緩衝材３０は、ナイロンで構成され、均一の膜厚でコーティングされて形成される。なお、緩衝材３０はナイロンに限るものではない。例えば、緩衝材３０は、ゴム等の他の樹脂等で構成されてもよい。
【００４４】
また、本実施形態では、緩衝材３０と穴側スプライン１１の歯先面１１ｂ及び溝底面１１ｃとの間に、それぞれ径方向の隙間Ｚ1，Ｚ2が形成される。但し、これら径方向の隙間Ｚ1，Ｚ2は設けられなくてもよい。
【００４５】
一方、図５に示すように、第２の軸側スプライン２２の歯面２７Ｒ，２７Ｌと、それらの歯面２７Ｒ，２７Ｌに対向する穴側スプライン１１の歯面１２Ｒ，１２Ｌとの間には、隙間（以下、歯面隙間Ｓ）が形成される。歯面隙間Ｓは、特許請求の範囲にいう隙間に該当する。
【００４６】
歯面隙間Ｓの大きさは、緩衝材３０の厚さＤよりも小さい。具体的には、第２の軸側スプライン２２の歯厚Ｔ2は、第１の軸側スプライン２１の歯厚Ｔ1よりも大きく設定される。
【００４７】
また、歯面隙間Ｓの大きさは、緩衝材３０が第１の軸側スプライン２１の歯面２６と穴側スプライン１１の歯面１２との間で圧縮されたときに、緩衝材３０が限界歪みを超えないように設定される。より詳しくは、歯面隙間Ｓの大きさは、緩衝材３０の圧縮による最大許容潰れ量（もしくは潰れ代）と同じ大きさに設定される。
【００４８】
また、第２の軸側スプライン２２の歯先面２２ｂは、その歯先面２２ｂに対向する穴側スプライン１１の溝底面１１ｃに当接される。一方、第２の軸側スプライン２２の歯底面２２ｃと穴側スプライン１１の歯先面１１ｂとの間には、径方向の隙間Ｚ3が形成される。
【００４９】
次に、本実施の形態の作用について述べる。図６は、図４に示した第１の軸側スプライン２１における緩衝材３０の作用を示す断面図である。また、図７は、図５に示した第２の軸側スプライン２２における歯面隙間Ｓの作用を示す断面図である。
【００５０】
第１の歯車１が他の歯車（図示せず）と噛み合った状態で回転駆動された場合、これら歯車の歯面同士が周期的に当たる。このため、歯面同士が当たる打撃音及び振動は発生する。しかし、本実施形態に係る歯車構造では、歯面同士が当たるとき、第１の軸側スプライン２１に固定された緩衝材３０が圧縮されて変形することで、衝撃を吸収する。このため、打撃音及び振動は抑えられる。
【００５１】
また、一般的な歯車のプロファイルには、加工精度に応じた加工誤差があり、この加工誤差が打撃音の周波数に変化を生じさせる。そして、微妙に周波数の異なる複数の打撃音同士が干渉し合うことにより、うねり音が発生する。
【００５２】
しかし、本実施形態に係る歯車構造は、加工誤差が大きな歯面同士が当たるとき、緩衝材３０は比較的大きく変形し、加工誤差が小さな歯面同士が当たるとき、緩衝材３０は比較的小さく変形する。このため、加工誤差が与える打撃音周波数への影響を抑えることができ、うねり音の発生を抑えることができる。
【００５３】
また、従来の歯車は研削加工により歯車の接触面の加工精度を高め、プロファイルを適正化することにより、振動や騒音の低減を図ってきたが、かかる高精度な歯車の研削には相当の加工時間を要し、歯車研削盤やホーニング盤等の専用の加工機が必要なため製造コストが高くなることが課題であった。
【００５４】
しかし、本実施の形態にかかる歯車構造によれば、専用の加工機による高い加工精度を追求することなく第１の歯車１の噛み合い時に発生する打撃音やうねり音を抑えることができ、静粛性を向上でき、振動騒音を低減できる。そして、第１の歯車１のプロファイルを、シェービング等の工法で仕上げればよいため、低コストで第１の歯車１を製造できる。
【００５５】
また、近年盛んに開発が進められている電気自動車（内燃機関を搭載せず電動モータの駆動力のみで走行する車両）は、内燃機関を搭載する車両よりも駆動源の騒音、振動が小さい。このため、騒音及び振動に関する性能がこれまで以上に歯車に求められることが考えられる。そこで、電気自動車に上述した本実施の形態に係る歯車構造を採用することにより、歯車の噛み合い時に発生する騒音や振動を安価に低減でき、電気自動車の低騒音化及び低振動化を安価に達成できる。
【００５６】
ところで、本実施形態では、図６及び図７に矢印Ａで示すように、例えば第１の歯車１の左回りの回転トルクを受けて、スプライン穴１０からスプライン軸２０にトルクが伝達され、緩衝材３０を介して穴側スプライン１１から第１の軸側スプライン２１にトルクが伝達される。
【００５７】
このとき、伝達トルクが小さければ、穴側スプライン１１と第１の軸側スプライン２１との歯面間で緩衝材３０が僅かに潰れるだけであり、穴側スプライン１１と第２の軸側スプライン２２との歯面隙間Ｓが残っている（図５を参照）。しかし、伝達トルクが大きくなると、緩衝材３０が大きく圧縮されて潰され、穴側スプライン１１と第２の軸側スプライン２２との歯面隙間Ｓが無くなってこれらは互いに当接する。
【００５８】
すると、緩衝材３０はそれ以上潰れることがなくなり、緩衝材３０の潰れ量は制限される。従って、緩衝材３０が過大に圧縮されるのを制限し、緩衝材３０に割れや亀裂等の破損が生じるのを抑制できる。
【００５９】
また、穴側スプライン１１と第２の軸側スプライン２２の歯面同士が当接することで、これら歯面同士の当接部においてもトルクを伝達できるようになる。従って、伝達トルクが大きくなった場合でも、トルク伝達箇所の面積を増やして大トルクを確実に伝達できる。
【００６０】
また、本実施形態の歯面隙間Ｓは、緩衝材３０が限界歪みを超えない大きさに設定される。そのため、緩衝材３０が限界歪みを超えて潰れるのを確実に抑制できる。
【００６１】
また、図４及び図５に示したように、第２の軸側スプライン２２の歯先面２２ｂは、緩衝材３０を介在させずに穴側スプライン１１の溝底面１１ｃに当接される。これにより、第２の軸側スプライン２２は、歯先面２２ｂで第１の歯車１の径方向の位置を規制しつつ、第１の歯車１を径方向に安定して支持できる。
【００６２】
特に、第２の軸側スプライン２２の歯厚Ｔ2は、第１の軸側スプライン２１の歯厚Ｔ1よりも大きく設定されるので、第１の軸側スプライン２１の歯先面２１ｂを穴側スプライン１１の溝底面１１ｃに当接させるよりも、第１の歯車１を安定して支持できる。
【００６３】
また、図１〜図３に示したように、本実施形態のスプライン軸２０では、第１の軸側スプライン２１を有する第１の環状部材２４と、第２の軸側スプライン２２を有する第２の環状部材２５とが、回転軸２３と別体として設けられる。そのため、異なる歯面を有し且つ緩衝材３０の有無がある２種類の環状部材２４，２５を個別に精度良く製造できる一方、これら第１及び第２の環状部材２４，２５を回転軸２３に嵌合させるだけでスプライン軸２０を簡単に製造することができる。
【００６４】
また、本実施形態の位置合わせ機構Ｋ（図２を参照）によれば、第１及び第２の軸側スプライン２１，２２の位相を、正確に合わせることが可能である。また、位置合わせ機構Ｋを用いることで、第１及び第２の軸側スプライン２１，２２を回転軸２３に対して回転方向に固定できる。そのため、トルク伝達が大きいときでも、回転軸２３に対して環状部材２４，２５が周方向に滑って回転するのを確実に防止できる。
【００６５】
また、本実施形態では、２つの第１の環状部材２４が１つの第２の環状部材２５を軸方向に挟んだ状態で配置される。そのため、スプライン軸２０は、第１の歯車１を軸方向にバランス良く支持することができる。
【００６６】
また、本実施形態の緩衝材３０は、第１の軸側スプライン２１の全周に亘って、全ての歯面２６Ｒ，２６Ｌと歯先面２１ｂと歯底面２１ｃとに設けられる。そのため、ナイロン等をコーティングする範囲を細かく限定せずに緩衝材３０を容易に製造できる。
【００６７】
以上、本開示の基本実施形態を詳細に述べたが、本開示は以下のような他の実施形態も可能である。なお、下記の説明において、基本実施形態と同一の構成要素には同じ符号を用い、また、基本実施形態と対応する構成要素に記号「’」を付した符号を用い、それらの詳細な説明を省略する。
【００６８】
（変形例１）
変形例１では、スプライン穴１０とスプライン軸２０との構成が基本実施形態と逆とされる。すなわち、図８に示すように、スプライン穴１０は、第１及び第２の穴側スプライン２１’，２２’が内周部に形成された第１及び第２の環状部材２４’，２５’を有し、これらの環状部材２４’，２５’は、ボス部３の内周面に嵌合される。また、スプライン軸２０は、回転軸２３の外周部に軸側スプライン１１’を有する。
【００６９】
また、図９に示すように、緩衝材３０は、第１の穴側スプライン２１’の歯面２６’に固定され、その歯面２６’に対向する軸側スプライン１１’の歯面１２’に当接される。また、図１０に示すように、歯面隙間Ｓは、第２の穴側スプライン２２’の歯面２７’と、その歯面２７’に対向する軸側スプライン１１’の歯面１２’との間に形成される。
【００７０】
この場合、小トルク時には、緩衝材３０を介して第１の穴側スプライン２１’と軸側スプライン１１’との間でのみトルクが伝達される。また、大トルク時には、緩衝材３０の潰れ量が制限される一方で、第１の穴側スプライン２１’と軸側スプライン１１’との間でトルクが伝達される共に、第２の穴側スプライン２２’と軸側スプライン１１’との間でもトルクが伝達される。
【００７１】
よって、本変形例によれば、上述した基本実施形態と同様に、緩衝材３０が過大に圧縮されるのを制限し、緩衝材３０に割れや亀裂等の破損を生じるのを抑制できる。
【００７２】
（変形例２）
図示しないが、上述した基本実施形態の緩衝材３０は、第１の軸側スプライン２１の歯先面２１ｂ及び歯底面２１ｃから省略してもよい。また、変形例１の緩衝材３０は、第１の穴側スプライン２１’の歯先面２１ｂ’及び溝底面２１ｃ’から省略してもよい。
【００７３】
また、基本実施形態の緩衝材３０は、第１の軸側スプライン２１の全ての歯のうちの一部の歯にのみ設けられてもよい。変形例１の緩衝材３０は、第１の穴側スプライン２１’の全ての溝のうちの一部の溝にのみ設けられてもよい。
【００７４】
また、緩衝材３０は、１つの歯または溝において、周方向の左右何れか一方の歯面にのみ設けられてもよい。
【００７５】
（変形例３）
上述した基本実施形態のスプライン軸２０では、回転軸２３に第１及び第２の環状部材２４，２５が一体形成されていてもよい。また、変形例１のスプライン穴１０’では、ボス部３に第１及び第２の環状部材２４’，２５’が一体形成されていてもよい。
【００７６】
（変形例４）
本開示の第１及び第２の歯面は、軸方向に互いに並列に配置された第１及び第２の環状部材の各スプラインに形成されなくてもよい。例えば、１つの軸側スプラインにおいて、周方向の同じ向きで配置された第１の歯面及び第２の歯面を、周方向の異なる位置の歯にそれぞれ設けてもよい。
【００７７】
（変形例５）
図１１に示すように、ベアリング７のアウターレース７ａとケーシング８の内壁との間には、ワッシャＷが介在されてもよい。これにより、ベアリング７をケーシング８に対して軸方向に精度よく位置決めできる。
【００７８】
前述の各実施形態の構成は、特に矛盾が無い限り、部分的にまたは全体的に組み合わせることが可能である。本開示の実施形態は前述の実施形態のみに限らず、特許請求の範囲によって規定される本開示の思想に包含されるあらゆる変形例や応用例、均等物が本開示に含まれる。従って本開示は、限定的に解釈されるべきではなく、本開示の思想の範囲内に帰属する他の任意の技術にも適用することが可能である。
【符号の説明】
【００７９】
１  第１の歯車（歯車）
１０  スプライン穴
１１  穴側スプライン（スプライン穴のスプライン）
２０  スプライン軸
２１  第１の軸側スプライン（スプライン軸のスプライン）
２２  第２の軸側スプライン（スプライン軸のスプライン）
２３  回転軸
２４  第１の環状部材
２５  第２の環状部材
２６  第１の軸側スプラインの歯面（第１の歯面）
２７  第２の軸側スプライン歯面（第２の歯面）
３０  緩衝材
Ｄ  緩衝材の厚さ
Ｓ  歯面隙間（隙間）
【図１】
2020020354.tif 000003
【図２】
2020020354.tif 000004
【図３】
2020020354.tif 000005
【図４】
2020020354.tif 000006
【図５】
2020020354.tif 000007
【図６】
2020020354.tif 000008
【図７】
2020020354.tif 000009
【図８】
2020020354.tif 000010
【図９】
2020020354.tif 000011
【図１０】
2020020354.tif 000012
【図１１】
2020020354.tif 000013